(57)【要約】【課題】  表示素子が誤動作する虞のないヘッドアップディスプレイ装置を提供する。【解決手段】  表示光Ｌを発する表示器３０と、表示光Ｌを反射させる反射部材４１、５１とを備え、表示器３０として、表示光Ｌを発する表示素子３１と、表示素子３１の前方側に配置されるホットミラー３２と、表示素子３１及びホットミラー３２を配設するケース部材３３とが設けられ、表示光Ｌを投影部材１３に投影して観察者１４に対し表示を行うヘッドアップディスプレイ装置において、ケース部材３３は、表示素子３１とホットミラー３２との間に位置する基部３５を備えるとともに、基部３５には、外光の一部がホットミラー３２へと照射されることに伴い表示素子３１とホットミラー３２との間に滞留する熱をケース部材３３の外部へと放出するための熱放出部３５ｂが形成されている。【選択図】図３
2013174855.tif 000002
【特許請求の範囲】
【請求項１】
表示光を発する表示器と、前記表示光を反射させる反射部材と、前記表示器並びに前記反射部材を収容するハウジングとを備え、
前記表示器として、前記表示光を発する表示素子と、前記表示素子と離間するように前記表示素子の前方側に配置されるホットミラーと、前記表示素子及び前記ホットミラーを配設するケース部材とが設けられ、
前記反射部材によって反射された前記表示光を前記ハウジングに形成された透光部を通じて投影部材に投影して観察者に対し表示を行うヘッドアップディスプレイ装置において、
前記ケース部材は、前記表示素子と前記ホットミラーとの間に位置する基部を備えるとともに、
前記基部には、外光の一部が前記透光部並びに前記反射部材を経て前記ホットミラーへと照射されることに伴い前記表示素子と前記ホットミラーとの間に滞留する熱を前記ケース部材の外部へと放出するための熱放出部が形成されていることを特徴とするヘッドアップディスプレイ装置。
【請求項２】
表示光を発する表示器と、前記表示光を反射させる反射部材と、前記表示器並びに前記反射部材を収容するハウジングとを備え、
前記表示器として、前記表示光を発する表示素子と、前記表示素子と離間するように前記表示素子の前方側に配置される偏光部材と、前記表示素子及び前記偏光部材を配設するケース部材とが設けられ、
前記反射部材によって反射された前記表示光を前記ハウジングに形成された透光部を通じて投影部材に投影して観察者に対し表示を行うヘッドアップディスプレイ装置において、
前記ケース部材は、前記表示素子と前記偏光部材との間に位置する基部を備えるとともに、
前記基部には、外光の一部が前記透光部並びに前記反射部材を経て前記偏光部材へと照射されることに伴い前記表示素子と前記偏光部材との間に滞留する熱を前記ケース部材の外部へと放出するための熱放出部が形成されていることを特徴とするヘッドアップディスプレイ装置。
【請求項３】
前記表示素子は、その背後に位置する光源基板上に配置される光源からの照明光によって前記表示光を発し、
前記光源から発せられる熱は、前記光源基板を載置する放熱部材によって放散され、
前記放熱部材は、前記表示素子を支持する導電性材料からなる支持体を載置するための載置部を備えていることを特徴とする請求項１または請求項２記載のヘッドアップディスプレイ装置。
【発明の詳細な説明】
【技術分野】
【０００１】
本発明は、表示器が発した表示光を車両のフロントガラス等の投影部材に投影し、観察者に対し虚像表示を行うヘッドアップディスプレイ装置に関するものである。
【背景技術】
【０００２】
従来より、この種のヘッドアップディスプレイ装置にあっては、例えば下記特許文献１に記載のごとく、車両のフロントガラス（投影部材）に表示器からの表示光を投射して虚像表示を行うものが知られている。
【先行技術文献】
【特許文献】
【０００３】
【特許文献１】特開２００７−６５０１１号公報
【０００４】
この特許文献１に記載のヘッドアップディスプレイ装置は、車両のインストルメントパネル（以下、インパネと言う）内部に取り付けられており、表示光を発する表示器（液晶表示器）と、この液晶表示器が発する表示光を投影部材側へと反射させるための凹面鏡からなる反射部材と、液晶表示器と反射部材とを収容するハウジングとを備え、反射部材によって反射された表示光をハウジングに形成された透光部を通じて投影部材に投影して観察者（運転者）に対し虚像の表示を行うものである。
【０００５】
そして、この場合、液晶表示器として、所定の配線パターンが施された配線基板と、この配線基板上に実装された発光ダイオードからなる光源と、この光源からの照明光を透過して表示光を形成する（発する）ように光源の前方側に位置する液晶表示素子（表示素子）と、この液晶表示素子と離間するように液晶表示素子の前方側に配置されるホットミラーと、配線基板と光源と液晶表示素子とホットミラーとを収納保持するアルミニウムからなるケース体（保持部材）とが設けられている。
【０００６】
ホットミラーは、液晶表示素子が発する可視光線からなる表示光を効率よく反射部材側へと透過させるとともに、ハウジングの透光部並びに反射部材を介して液晶表示器側へと照射する太陽光（外光）の一部を吸収する特性を有している。また、ケース体には、ホットミラーの形状に対応するように開口形成されホットミラーを外部に臨ませるための前面開口部が形成され、液晶表示素子が発する可視光線からなる表示光は、この前面開口部を通じて反射部材へと至る。
【発明の概要】
【発明が解決しようとする課題】
【０００７】
上述した特許文献１に記載のヘッドアップディスプレイ装置の場合、ケース体の前面開口部を塞ぐようにホットミラーが配置され、このホットミラーの背後側に位置する液晶表示素子がケース体内部に収納保持された構成となっている。つまり、このことは、ホットミラーと液晶表示素子との間に形成される空間領域が密閉された密閉空間であることを意味している。
【０００８】
ところで、ヘッドアップディスプレイ装置がインパネ内部に取り付けられた状態では、太陽光（外光）の一部がハウジングの透光部並びに反射部材を経て液晶表示器側（ホットミラー側）へと照射されることが考えられる。この場合、ホットミラーへの外光照射に伴いホットミラーが高温状態となり、ホットミラーと液晶表示素子（表示素子）との間に形成される密閉空間に熱がこもる（滞留する）という問題がある。そして、このように密閉空間に熱がこもると、当該熱の影響を受けて液晶表示素子の誤動作を招く虞がある。
そこで本発明は、前述の課題に対して対処するため、表示素子が誤動作する虞のないヘッドアップディスプレイ装置の提供を目的とするものである。
【課題を解決するための手段】
【０００９】
本発明は、表示光を発する表示器と、前記表示光を反射させる反射部材と、前記表示器並びに前記反射部材を収容するハウジングとを備え、前記表示器として、前記表示光を発する表示素子と、前記表示素子と離間するように前記表示素子の前方側に配置されるホットミラーと、前記表示素子及び前記ホットミラーを配設するケース部材とが設けられ、前記反射部材によって反射された前記表示光を前記ハウジングに形成された透光部を通じて投影部材に投影して観察者に対し表示を行うヘッドアップディスプレイ装置において、前記ケース部材は、前記表示素子と前記ホットミラーとの間に位置する基部を備えるとともに、前記基部には、外光の一部が前記透光部並びに前記反射部材を経て前記ホットミラーへと照射されることに伴い前記表示素子と前記ホットミラーとの間に滞留する熱を前記ケース部材の外部へと放出するための熱放出部が形成されていることを特徴とする。
【００１０】
また本発明は、表示光を発する表示器と、前記表示光を反射させる反射部材と、前記表示器並びに前記反射部材を収容するハウジングとを備え、前記表示器として、前記表示光を発する表示素子と、前記表示素子と離間するように前記表示素子の前方側に配置される偏光部材と、前記表示素子及び前記偏光部材を配設するケース部材とが設けられ、前記反射部材によって反射された前記表示光を前記ハウジングに形成された透光部を通じて投影部材に投影して観察者に対し表示を行うヘッドアップディスプレイ装置において、前記ケース部材は、前記表示素子と前記偏光部材との間に位置する基部を備えるとともに、前記基部には、外光の一部が前記透光部並びに前記反射部材を経て前記偏光部材へと照射されることに伴い前記表示素子と前記偏光部材との間に滞留する熱を前記ケース部材の外部へと放出するための熱放出部が形成されていることを特徴とする。
【００１１】
また本発明は、前記表示素子は、その背後に位置する光源基板上に配置される光源からの照明光によって前記表示光を発し、前記光源から発せられる熱は、前記光源基板を載置する放熱部材によって放散され、前記放熱部材は、前記表示素子を支持する導電性材料からなる支持体を載置するための載置部を備えていることを特徴とする。
【発明の効果】
【００１２】
本発明によれば、初期の目的を達成でき、表示素子が誤動作する虞のないヘッドアップディスプレイ装置を提供できる。
【図面の簡単な説明】
【００１３】
【図１】本発明の実施形態によるヘッドアップディスプレイ装置の概略図。
【図２】同実施形態による表示装置の断面図。
【図３】同実施形態による表示器とバックライトユニットを示す断面図。
【発明を実施するための形態】
【００１４】
以下、図１から図３に基づいて、本発明を車両用のヘッドアップディスプレイ装置に適用した一実施形態を説明する。
【００１５】
ヘッドアップディスプレイ装置は、図１に示すように車両１０のインパネ１１に配設された表示ユニットである表示装置１２が投射する表示光Ｌを投影部材である車両１０のフロントガラス１３で車両１０の運転者（観察者）１４の方向に反射させ、虚像Ｖの表示を行うものである。換言すれば、ヘッドアップディスプレイ装置は、表示装置１２の後述する表示器から発せられる表示光Ｌをフロントガラス１３（前記投影部材）に照射（投射）し、この照射によって得られた表示像（虚像）Ｖを運転者１４に視認させるものである。これにより運転者１４は、虚像Ｖを風景と重畳させて観察することができる。
【００１６】
表示装置１２は、図２に示すようにバックライトユニット２０と、表示器３０と、第１反射器４０と、第２反射器５０と、ハウジング６０とから主に構成されている。
【００１７】
バックライトユニット２０ は、図３に示すようにアルミ基板からなる光源基板２１上に間隔を空けて複数個配置された発光ダイオードからなる光源２２と、この光源２２から発せられる熱を放散させるように光源基板２１の背面に密着（当接）している放熱部材２３と、光源２２からの照明光を入射して表示器３０に向けて出射するレンズ部材２４と、光源２２及びレンズ部材２４を収納する光源ケース２５とを備え、この光源ケース２５は、例えば光反射性の良好な乳白色の合成樹脂から形成されている。
【００１８】
また、放熱部材２３は、アルミ等の熱伝導率の高い金属材料にて形成されたヒートシンクからなり、光源基板２１を載置するための第１の載置部２６と、後述する支持体を載置するための第２の載置部（載置部）２７と、ハウジング６０外の空気と接触可能な多数の放熱フィン２８とを備え、この場合、第２の載置部２７は、表示器３０側に向けて略Ｌ字状に延在する壁部として形成されている。なお、放熱部材２３は、適宜固定手段を用いてハウジング６０に固定されている。
【００１９】
表示器３０は、バックライトユニット２０の前方側に配置され、バックライトユニット２０からの照明光（つまりレンズ部材２４から出射される照明光）を透過して表示光Ｌを形成する（発する）ＴＦＴ型の液晶表示素子（表示素子）３１と、この液晶表示素子３１と離間するように液晶表示素子３１の前方側（真上）に傾斜配置される透過反射部材としてのホットミラー３２と、液晶表示素子３１及びホットミラー３２を配設（収納もしくは保持）するケース部材３３と、液晶表示素子３１の背面側周縁部に位置する支持体３４とを備えている。なお、必要に応じてバックライトユニット２０からの照明光を均一化させるための光拡散板（図示せず）を液晶表示素子３１と支持体３４との間に配置してもよい。
【００２０】
液晶表示素子３１は、バックライトユニット２０から発せられる照明光により、所定情報を発光表示するものである。つまり、液晶表示素子３１は、その背後側に位置する光源基板２１上に配置（実装）される光源２２からの照明光によって表示光Ｌを発するようになっている。なお、前記所定情報としては、例えば車速、エンジン回転数、燃費、時刻、ナビゲーション等がある。
【００２１】
ホットミラー３２は、略矩形状のアクリル樹脂からなる光透過性のガラス基板（基板）３２ａと、ガラス基板３２ａの一方の面（つまり図３中、ガラス基板３２ａの前面）に設けられる多層の干渉膜からなる反射層３２ｂとを備え、ケース部材３３の後述する前面開口部を塞ぐように配設される。
【００２２】
また、ホットミラー３２は、液晶表示素子３１から第１反射器４０の後述するコールドミラーへと至る表示光Ｌの光路中に配設され、本例では、反射層３２ｂが、前記コールドミラーに備えられる後述する第１の反射膜と向かい合うような位置関係となっている。
【００２３】
なお、ホットミラー３２は、液晶表示素子３１が発する可視光線からなる表示光Ｌを効率よく前記コールドミラー側へと透過させるとともに、ハウジング６０に配設される後述する透光性カバー、第２反射器５０の後述する凹面鏡並びに前記コールドミラーを通じてハウジング６０内部となる表示器３０に照射する太陽光のうち赤外線（熱線）を吸収（反射）する特性を有している。
【００２４】
ケース部材３３は、合成樹脂材料もしくは金属材料からなり、傾斜するように配置されているホットミラー３２の背面側周縁部を保持する略枠形状からなる基部３５と、液晶表示素子３１の前面側周縁部を覆うフランジ形状からなる覆い部３６と、支持体３４を包囲するように覆い部３６の背後に垂下形成される垂下部３７とが一体形成された構成となっている。
【００２５】
基部３５は、その上下が貫通している枠形状となっており、液晶表示素子３１とホットミラー３２との間に位置し、液晶表示素子３１から発せられる表示光Ｌをホットミラー３２へと導くための開口孔部３５ａを有している。
【００２６】
また、図３中、右側に位置する基部３５箇所の上方側には、太陽光（外光）の一部が前記透光性カバー、前記凹面鏡並びに前記コールドミラーを経てホットミラー３２へと照射されることに伴い液晶表示素子３１とホットミラー３２との間にこもる（滞留する）熱をケース部材３３の外部へと放出するための熱放出部である貫通孔形状の第１の貫通部３５ｂが形成されている。
【００２７】
さらに、図３中、左側に位置する基部３５箇所の略中央部には、ケース部材３３の周囲に存在する外気を導入するための外気導入部である第２の貫通部３５ｃが形成されている。なお、本例の場合、熱放出部３５ｂや外気導入部３５ｃの形状はともに貫通孔形状となっているが、熱放出部３５ｂや外気導入部３５ｃの形状はあらゆる形状を適用することができ、例えば切り欠き形状からなる切り欠き部として形成してもよい。
【００２８】
そして、この場合、ホットミラー３２は、開口孔部３５ａの前面側に位置している前面開口部３５ｄを塞ぐように基部３５上に載置され、液晶表示素子３１から発せられる表示光Ｌは、開口孔部３５ａ、ホットミラー３２を通過して第１反射器４０側に導かれる。
【００２９】
支持体３４は、導電性材料（金属材料）からなり、略枠状に形成され、液晶表示素子３１を支持する支持部材としての機能を有し、バックライトユニット２０から発せられる照明光を液晶表示素子３１へと導くための開口孔３４ａを有している。
【００３０】
以上のように構成された表示器３０において、太陽光の一部が前記透光性カバー、前記凹面鏡並びに前記コールドミラーを経てホットミラー３２へと照射されることに伴い液晶表示素子３１とホットミラー３２との間に形成される空間領域Ｓにこもる（滞留する）熱は、第１の貫通部３５ｂを通じてケース部材３３外部へと積極的に放出される。
【００３１】
そして、このように空間領域Ｓに滞留する熱が第１の貫通部３５ｂを通じてケース部材３３外部へと放出されると、空間領域Ｓが負圧の状態となり、ケース部材３３の周囲に存在している外気が外気導入部として機能する第２の貫通部３５ｃを通じて空間領域Ｓへと導入される。
【００３２】
従って、表示装置１２がインパネ１１内部に取り付けられた状態において、ホットミラー３２への外光照射に起因して空間領域Ｓに滞留する熱が、空間領域Ｓから熱放出部である第１の貫通部３５ｂを通ってケース部材３３外部へと放出されるとともに、外気が外気導入部である第２の貫通部３５ｃを通ってケース部材３３外部から空間領域Ｓへと導入されるという、空間領域Ｓでの空気循環に伴い、空間領域Ｓ（つまり液晶表示素子３１）が高温状態となるのが抑制される。これにより空間領域Ｓの背後にある液晶表示素子３１の温度上昇が抑制され、液晶表示素子３１が誤動作する虞のないヘッドアップディスプレイ装置を提供することができる。
【００３３】
なお、本例では、支持体３４は、その底面の所要部が放熱部材２３に備えられる第２の載置部２７上に載置される。よって、液晶表示素子３１は、支持体３４を介して放熱部材２３上に保持されていることから、空間領域Ｓに滞留する熱は、上述した空間領域Ｓでの前記空気循環だけではなく、導電性材料からなる支持体３４、放熱部材２３を経てハウジング６０の外部へと放散され、これにより液晶表示素子３１の温度上昇をより確実に防止することができる。
【００３４】
なお、以上の説明では、図３中、右側に位置する基部３５の上方側に熱放出部である第１の貫通部３５ｂを設け、図３中、左方に位置する基部３５の中央部に外気導入部である第２の貫通部３５ｃを設けた例について説明したが、例えば第２の貫通部３５ｃを廃止して、第１の貫通部３５ｂが熱放出部としての機能と外気導入部としての機能とを兼ね備えるような構成としてもよい。
【００３５】
第１反射器４０は、ホットミラー３２の上方（真上）に位置してなるコールドミラー（第１反射部材）４１と、このコールドミラー４１を所定の取付手段を用いて取付固定するための取付部材４２とを有している。
【００３６】
コールドミラー４１は、略矩形状のガラス基板４１ａと、このガラス基板４１ａの片面（第２反射器５０の後述する凹面鏡と向かい合う面）に形成された第１の反射層４１ｂとからなり、かかる第１の反射層４１ｂは、膜厚が異なる多層の干渉膜からなるものであり、蒸着等の方法で形成されている。
【００３７】
また、コールドミラー４１は、液晶表示素子３１から発せられ、ホットミラー３２を透過してなる表示光Ｌを、第２反射器５０（前記凹面鏡）側へ反射させるような位置に傾斜状態にて配設される。なお、取付部材４２は、例えば黒色の合成樹脂材料からなり、ハウジング６０に適宜固定手段を用いて固定されている。
【００３８】
第２反射器５０は、コールドミラー４１（つまり液晶表示素子３１）からの表示光Ｌを反射させる凹面鏡（第２反射部材）５１と、この凹面鏡５１を保持するミラーホルダ５２とを備えている。なお、本実施形態の場合、コールドミラー４１と凹面鏡５１とが、後述する特許請求の範囲（請求項１）における反射部材に相当する。
【００３９】
凹面鏡５１は、凹面を有するポリカーボネートからなる樹脂基板に第２の反射層５１ａを蒸着形成してなるものである。かかる凹面鏡５１は、その第２の反射層５１ａがコールドミラー４１並びにハウジング６０の後述する透光性カバーに対向し、前記透光性カバーから臨める位置に傾斜状態にて配設される。
【００４０】
また、凹面鏡５１は、コールドミラー４１からの表示光Ｌを拡大しつつ、前記透光性カバー（車両１０のフロントガラス１３）側へ反射（投射）させるものである。このことは、凹面鏡５１が、コールドミラー４１によって反射された表示光Ｌを拡大し、この拡大された表示光Ｌを前記透光性カバーを通じてフロントガラス１３に投射することを意味している。なお、凹面鏡５１は、ミラーホルダ５２に両面粘着テープにより接着されている。ミラーホルダ５２は、合成樹脂材料からなるものであり、適宜固定手段を用いてハウジング６０に固定されている。
【００４１】
ハウジング６０は、例えば黒色の合成樹脂材料もしくはアルミダイキャストにて形成されてなり、ともに断面略凹部形状からなる上側ケース体６１と下側ケース体６２とを備え、上側ケース体６１と下側ケース体６２とで形成される内部空間である空間部６３において、バックライトユニット２０や表示器３０、コールドミラー４１を含む第１反射器４０、凹面鏡５１を含む第２反射器５０等を収納（収容）している。
【００４２】
上側ケース体６１には、凹面鏡５１の配設位置の上部（車両１０のフロントガラス１３側）が開口する開口窓部６４が形成されており、凹面鏡５１によって反射された表示光Ｌは、開口窓部６４を通過することになる。
【００４３】
またハウジング６０には、透光部である透光性カバー６５が開口窓部６４を塞ぐように配設されてなる。かかる透光性カバー６５は、透光性の合成樹脂材料（例えばアクリル樹脂）からなり、凹面鏡５１で反射された表示光Ｌが透過（通過）する光透過性部材としての機能を有している。
【００４４】
つまり、コールドミラー４１並びに凹面鏡５１によって反射された表示光Ｌは、ハウジング６０に設けられた透光性カバー６５を通じてフロントガラス１３に投影され、これにより虚像Ｖの表示が運転者１４に対し行われることになる。なお、６６は下側ケース体６２の底部に形成された孔部であり、この孔部６６には孔部６６を塞ぐように放熱部材２３が配設される。
【００４５】
以上のように本実施形態では、表示光Ｌを発する表示器３０と、表示光Ｌを反射させるコールドミラー４１と凹面鏡５１とでなる前記反射部材と、表示器３０並びに前記反射部材を収容するハウジング６０とを備え、表示器３０として、表示光Ｌを発する液晶表示素子３１と、この液晶表示素子３１と離間するように液晶表示素子３１の前方側に配置されるホットミラー３２と、液晶表示素子３１及びホットミラー３２を配設するケース部材３３とが設けられ、前記反射部材によって反射された表示光Ｌを透光性カバー６５を通じてフロントガラス１３に投影して観察者１４に対し表示を行うヘッドアップディスプレイ装置において、ケース部材３３は、液晶表示素子３１とホットミラー３２との間に位置する基部３５を備えるとともに、基部３５には、外光の一部が透光性カバー６５並びに前記反射部材を経てホットミラー３２へと照射されることに伴い液晶表示素子３１とホットミラー３２との間に滞留する熱をケース部材３３の外部へと放出するための熱放出部である第１の貫通部３５ｂが形成されているものである。
【００４６】
従って、ホットミラー３２への外光照射に伴い、ホットミラー３２と液晶表示素子３１との間に形成される空間領域Ｓに滞留する熱は、熱放出部である第１の貫通部３５ｂを通じて空間領域Ｓからケース部材３３の外部へと放出されるため、空間領域Ｓ内が高温状態となるのが抑制され、空間領域Ｓの背後にある液晶表示素子３１が誤動作する虞のないヘッドアップディスプレイ装置を提供することができる。
【００４７】
また本実施形態では、液晶表示素子３１は、その背後に位置する光源基板２１上に配置される光源２２からの照明光によって表示光Ｌを発し、光源２２から発せられる熱は、光源基板２１を載置する第１の載置部２６を備えた放熱部材２３によって放散され、放熱部材２３は、液晶表示素子３１を支持する導電性材料からなる支持体３４を載置するための載置部としての第２の載置部２７を備えていることにより、空間領域Ｓに滞留する熱は、空間領域Ｓでの前記空気循環だけではなく、導電性材料からなる支持体３４、放熱部材２３を経てハウジング６０の外部へと放散されるため、液晶表示素子３１の温度上昇をより確実に防止することができる。
【００４８】
また本実施形態では、液晶表示素子３１と第１反射器４０との間にホットミラー３２が配置されている例について説明したが、例えばホットミラー３２に代えて液晶表示素子３１と第１反射器４０との間に（換言すれば前面開口部３５ｄを塞ぐように）入射する光の直交する偏光成分の位相を略λ／４ずらす位相差板（λ／４板）を配置したり、あるいはホットミラー３２に代えて液晶表示素子３１と第１反射器４０との間に（換言すれば前面開口部３５ｄを塞ぐように）液晶表示素子３１からの表示光を効率よく透過するとともに外光を吸収する偏光板を配置した場合であっても、本実施形態と同様の作用効果が得られる。なお、上述の位相差板や偏光板は特許請求の範囲における請求項２の偏光部材に相当する。
【００４９】
さらに、図３において、ホットミラー３２の背面に前記位相差板または前記偏光板を配置してもよいし、ホットミラー３２を廃止して前面開口部３５ｄを塞ぐように前記偏光板を配置するとともに当該偏光板と第１反射器４０との間に前記位相差板を配置してもよい。また、図３において、ホットミラー３２の背面に前記位相差板を配置するとともに当該位相差板の背面に前記偏光板を配置してもよい。
【００５０】
また本実施形態では、ホットミラー３２と液晶表示素子３１とが非平行状態をなすようにホットミラー３２がハウジング６０内にて傾斜配置されている例について説明したが、例えばホットミラー３２と液晶表示素子３１とが平行状態をなすようにホットミラー３２と液晶表示素子３１との双方をハウジング６０内に傾斜配置するような構成としてもよいし、あるいはホットミラー３２と液晶表示素子３１とが非平行状態をなすようにホットミラー３２と液晶表示素子３１との双方をハウジング６０内に傾斜配置するような構成としてもよい
【００５１】
なお本実施形態では、液晶表示素子３１から発せられる表示光Ｌが、フロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射体に表示光Ｌを投射する構成としてもよい。
【符号の説明】
【００５２】
１２    表示装置
１３    フロントガラス（投影部材）
１４    運転者（観察者）
２０    バックライトユニット
２１    光源基板
２２    光源
２３    放熱部材
２６    第１の載置部
２７    第２の載置部（載置部）
３０    表示器
３１    液晶表示素子（表示素子）
３２    ホットミラー
３２ａ  ガラス基板（基板）
３２ｂ  反射層
３３    ケース部材
３４    支持体
３５    基部
３５ａ  開口孔部
３５ｂ  第１の貫通部（熱放出部）
３５ｃ  第２の貫通部（外気導入部）
３５ｄ  前面開口部
３６    覆い部
３７    垂下部
４０    第１反射器
４１    コールドミラー（第１反射部材）
５０    第２反射器
５１    凹面鏡（第２反射部材）
６０    ハウジング
６５    透光性カバー（透光部）
Ｌ    表示光
Ｓ    空間領域
Ｖ    虚像（表示像）
【図１】
2013174855.tif 000003
【図２】
2013174855.tif 000004
【図３】
2013174855.tif 000005